(57)【要約】      （修正有）【課題】異なるサイズの携帯型パソコン（例えば、ノートパソコン）を収納可能なパソコン用キャリングバッグを提供すること。【解決手段】外表面に第１接続部材１２３を設け、開状態のとき、内部において第１の収納空間を形成される第１バッグ本体１２と、部分的に第１バッグ本体１２に接続し、第１バッグ本体１２に対応して開き、又は、完全に結合しており、第１バッグ本体１２と完全に結合した場合、両者の内部において共同して、携帯型電子装置を収納できる第２の収納空間を形成される第２バッグ本体１１と、第１と第２バッグ本体間で接続されていない部分が完全に開き又は閉じるようにさせる第２接続部材１３と、可動式又は固定式で第１の収納空間に設けられる防火シート４とを備え、第１と第２バッグ本体、第１と第２接続部材１３及び防火シート４は耐温、防燃のバッグ材からなり、少なくとも耐高温の防火層と熱気を発散できる通気層とで構成する。【選択図】図６
2009022727.tif 000002
【特許請求の範囲】
【請求項１】
その外表面に第１接続部材が設けられ、該第１接続部材が開状態にあるとき、内部において第１の収納空間を形成される第１バッグ本体と、
部分的に第１バッグ本体に接続し、第１バッグ本体に対応して開き、又は、第１バッグ本体と完全に結合しており、第１バッグ本体と完全に結合した場合、両者の内部において共同して、上記携帯型電子装置を収納できる第２の収納空間を形成される第２バッグ本体と、
該第１バッグ本体と上記第２バッグ本体との間において接続されていない部分が完全に開き又は閉じるようにさせる第２接続部材と、
可動式又は固定式をもって第１の収納空間に設けられる防火シートと、
を備え、
上記第１バッグ本体、第２バッグ本体、第１接続部材、第２接続部材及び該防火シートは、耐温、防燃のバッグ材からなり、該バッグ材は少なくとも高温に耐えられる防火層と熱気を発散できる通気層とから構成されることを特徴とする携帯型電子装置のためのキャリングバッグ。
【請求項２】
上記固定式は、ミシン糸により防火シートを上記第１バッグ本体の内部に接続させ、使用者が該ファイヤーバリーを折り畳んで上記第１の収納空間に収納することが可能であることを特徴とする請求項１に記載の携帯型電子装置のためのキャリングバッグ。
【請求項３】
上記防火層は、ガラス繊維、酸化繊維、シリコーン繊維、セラミックス繊維、ノーメックス（登録商標）、ケブラー（登録商標）、またはこれらを一定の比率で組み合わせ混合させることで作製させており、該防火層は約２５０〜１０００℃の高温に耐えられるものであることを特徴とする請求項１に記載の携帯型電子装置のためのキャリングバッグ。
【請求項４】
上記通気層は、耐熱材、通気繊維、通気コットン、またはこれらを一定の比率で組み合わせ混合させることで作製させており、該通気層は約２００〜３００℃の高温に耐えられるものであることを特徴とする請求項１に記載の携帯型電子装置のためのキャリングバッグ。
【請求項５】
上記バッグ材は、ナイロン、ポリ塩化ビニル（ＰＶＣ）または他の防水性材で塗布により作製される防水層をさらに有することを特徴とする請求項１に記載の携帯型電子装置のためのキャリングバッグ。
【請求項６】
上記バッグ材は、携帯型電子装置の衝突を回避し且つ該携帯型電子装置を安定して保持するためのインナー層を更に含んでいることを特徴とする請求項１に記載の携帯型電子装置のためのキャリングバッグ。
【発明の詳細な説明】
【技術分野】
【０００１】
本発明は、パソコン用キャリングバッグに関し、特に携帯型電子機器を収納可能な耐熱、防燃機能などといった多機能をもつ折畳式のパソコン用キャリングバッグに関する。
【背景技術】
【０００２】
今日の科学技術の発展に従って、ビジネスマンなどが、各地間を往復して営業するためにノートパソコンを持っていく必要があったり、各種の交通手段を待つときにノートパソコンを随意に使用できたりするため、ノートパソコン又は他の電子機器を収納できるキャリングバッグが必要となる。
【０００３】
しかし、一般には、ノートパソコン用キャリングバッグは、ノートパソコン及びその周辺設備を収納する機能をもつだけで、美観、設計の美化以外、使用者に対する安全性の考慮がなされていなく、例えば、電磁放射が人体への脅威、傷害の考慮がなされておらず、火事などの意外災害への安全性の考慮もなされていないため、従来のパソコン用キャリングバッグには多くの問題が存在していた。
【０００４】
従って、上記の問題点に鑑みて、１０００℃以上の高温に耐えられ、耐熱、防燃材で構成され、緊急事態が発生した場合、消火用及び火事現場から避難するための防火シートとして使用可能な、耐熱、防燃機能などといった多機能をもつ折畳式のパソコン用キャリングバッグが要求される。
【発明の開示】
【発明が解決しようとする課題】
【０００５】
本発明は、異なるサイズの携帯型パソコン（例えば、ノートパソコン）を収納可能なパソコン用キャリングバッグを提供することを目的とする。
【０００６】
また、本発明の好ましい実施形態によれば、本発明は、１０００℃以上の高温に耐えられる、耐熱、防燃機能などといった多機能をもつ折畳式のパソコン用キャリングバッグを提供することを他の目的とする。
【０００７】
上記多機能をもつパソコン用キャリングバッグは、耐熱、防燃材で構成されるため、これらの材料は、伝熱性が低く、燃焼しにくく、滴下熔融（ｄｒｉｐ  ｍｅｌｔ）せず、また炭化性などの多くの特性をもつため、緊急事態が発生すると、消火用または及び火事現場から避難するための防火シートとして使用可能である。
【０００８】
また、上記のパソコン用キャリングバッグは電磁放射を遮断する材料を備えるため、電磁波の人体への脅威及び傷害を低減することができる。
【課題を解決するための手段】
【０００９】
よって、本発明は、その外表面に第１接続部材が設けられ、該第１接続部材が開状態にあるとき、内部において第１の収納空間を形成される第１バッグ本体と、部分的に第１バッグ本体に接続し、第１バッグ本体の開きに対応し又は第１バッグ本体と完全に結合しており、第１バッグ本体と完全に結合した場合、両者の内部において共同して、上記携帯型電子装置を収納できる第２の収納空間を形成される第２バッグ本体と、該第１バッグ本体と上記第２バッグ本体との間において接続されていない部分が完全に開き又は閉じるようにさせる第２接続部材と、可動式又は固定式をもって第１の収納空間に設けられる防火シートとを備え、上記第１バッグ本体、第２バッグ本体、第１接続部材、第２接続部材及び該防火シートは、耐温、防燃のバッグ材からなり、該バッグ材は少なくとも高温に耐えられる防火層と熱気を発散できる通気層とから構成されることを特徴とする携帯型電子装置のためのキャリングバッグを提供する。
【００１０】
上記固定式は、ミシン糸により防火シートを上記第１バッグ本体の内部に接続させ、使用者が該ファイヤーバリーを折り畳んで上記第１の収納空間に収納することが可能であることが好ましい。
【００１１】
上記防火層は、ガラス繊維、酸化繊維、シリコーン繊維、セラミックス繊維、ノーメックス（登録商標）、ケブラー（登録商標）、またはこれらを一定の比率で組み合わせ混合させることで作製させており、該防火層は約２５０〜１０００℃の高温に耐えられるものであることが好ましい。
【００１２】
上記通気層は、耐熱材、通気繊維、通気コットン、またはこれらを一定の比率で組み合わせ混合させることで作製させており、該通気層は約２００〜３００℃の高温に耐えられるものであることが好ましい。
【００１３】
上記バッグ材は、ナイロン、ポリ塩化ビニル（ＰＶＣ）または他の防水性材で塗布により作製される防水層をさらに有することが好ましい。
【００１４】
上記バッグ材は、携帯型電子装置の衝突を回避し且つ該携帯型電子装置を安定して保持するためのインナー層を更に含んでいることが好ましい。
【発明を実施するための最良の形態】
【００１５】
以下、本発明の前記及び他の技術内容、特点及び効果について、図面に基づく好ましい実施形態により明白に説明する。
【００１６】
まず、図１、図２に示されるように、好ましい実施形態における本発明に係る多機能をもつパソコン用キャリングバッグ１は、携帯型電子装置を収納するためのものであり、この好ましい実施形態において、該携帯型電子装置は、１５．４インチ、１７インチ又は他のサイズのディスプレーをもつノートパソコンを例として説明を行うが、これに限らず、ラップトップ・コンピュータ（ｌａｐｔｏｐ  ｃｏｍｐｕｔｅｒ）或いは他の小型の電子装置又はゲーム機などであっても良い。
【００１７】
図１、図２のそれぞれは、パソコン用キャリングバッグ１の正面斜視図及び背面斜視図である。図３、図４のそれぞれはパソコン用キャリングバッグ１の正面図及び背面図である。
【００１８】
図１〜４に示されるように、パソコン用キャリングバッグ１は主に、第１バッグ本体１２、第１バッグ本体１２と局部的に接続する第２バッグ本体１１、及び第１バッグ本体１２と第２バッグ本体１１とが接続していない部分を完全に開閉させる第２接続部材１３を含んでいる。
【００１９】
上記第１バッグ本体１２は主に、ハンドベルト１２１、インナーバッグ切欠き１２２、第１バッグ本体１２の周縁に位置する第１接続部材（スライドファスナーでも良い）、スライダー１２４、第１バッグ本体の周縁に位置する内部凹縁１２５、及び第１バッグ本体１２の周縁に位置する外部凸縁１２７を含んでおり、更に、内表面には、二つの隅部に位置する固定部材１２６を有する。
【００２０】
上記固定部材１２６は携帯型電子装置を束縛且つ位置決めすることができる。
【００２１】
上記ハンドベルト１２１は上記インナーバッグ切欠き１２２の内部に収納可能であり、上記第１接続部材１２３が開状態にあるとき、防火シート（後述）を収納するための第１の収納空間１２８が該第１バッグ本体１２の内部に形成される。
【００２２】
上記第２接続部材１３はスライドファスナーであって、スライダー１３１を有する。
【００２３】
上記第２バッグ本体１１は主に、ハンドベルト１１１、インナーバッグ切欠き１１２、第２バッグ本体１１の周縁に位置する内部凹縁１１５、パソコンに関連する付加装備又は他の装置を収納する収納袋１１６、及び第２バッグ本体１１の周縁に位置する外部凸縁１１７を含んでいる。
【００２４】
該第２バッグ本体１１は部分的に上記第１バッグ本端１２に接続されており、該第１バッグ本体１２に対応して開き、又は、該第１バッグ本体１２と完全に結合する。第１バッグ本体１２と第２バッグ本体１１とが完全に結合した場合には、上記両者の内部が協働して、携帯型電子装置（図示せず）を収納するための第２の収納空間を形成する。
【００２５】
上記携帯型電子装置は本体と、該本体に対して開閉可能な蓋とを有するものである。
【００２６】
なお、上記の例は本発明を実施するための好ましい実施形態を例示したが、これに限られるものではない。例えば、上記パソコン用キャリングバッグ１にはハンドベルト１２１，１２２を設けなくても良い。又は、上記パソコン用キャリングバッグ１にはインナーバッグ切欠き１１２，１２２を設けなくても良い。
【００２７】
更に、多機能をもつパソコン用キャリングバッグ１にも、該パソコン用キャリングバッグ１の開閉角度を調整するための調整部材１４を設けており、該調整部材１４はその長さを調整するための金具１４１を有する。
【００２８】
第１バッグ本体１２、第２バッグ本体１１、第１接続部材１２３、及び第２接続部材１３は耐熱、防燃のバッグ材３１から製作されている。上記バッグ材３１は伝熱性が低く、燃焼しにくく、滴下熔融（ｄｒｉｐ  ｍｅｌｔ）せず、また炭化性などの特性をもっており、更に防水層３１１、防火層３１２、通気層３１３及びインナー層３１４からなり、防火層３１２は主に高温に耐えられるためのもので、通気層３１３は熱気を発散させるためのものである。
【００２９】
上記防水層３１１はナイロン、ポリ塩化ビニル（ＰＶＣ）または他の防水性材で塗布又は他の方式により作製される。該防水層３１１は材料を繊維又は布製品などで作製されて硬質又は軟質の製品とする。
【００３０】
防火層３１２は、ガラス繊維、酸化繊維、シリコーン繊維、セラミックス繊維、ノーメックス（登録商標）、ケブラー（登録商標）、またはこれらを一定の比率で組み合わせ混合させることで作製させ、約２５０〜１０００℃の高温に耐えられる。
【００３１】
通気層３１３は、耐熱材、通気繊維、通気コットン、またはこれらを一定の比率で組み合わせ混合させることで作製させ、約２００〜３００℃の高温に耐えられる。
【００３２】
インナー層は防火材でもよいが、防火材でなくてもよい。その作用は上記携帯型電子装置の衝突を回避し、また該携帯型電子装置の堅固を保護するものである。
【００３３】
なお、上記の例は本発明を実施するための好ましい実施形態を例示したが、これに限られるものではない。例えば、防火層３１２、通気層３１３及びインナー層３１４のみを設置し、防水層３１１を設けなくても良い。更に、上記の積層の順序は必要に応じて適切に調整することができる。例えば、上記の本発明の好ましい実施形態において、防水層３１１は最外層に設けられるが、他の好ましい実施形態において、防火層３１２が最外層に設けられ、即ち、積層順序は防火層３１２、防水層３１１、通気層３１３及びインナー層３１４となる。
【００３４】
また、本発明の実施形態に係る多機能をもつパソコン用キャリングバッグ１には、電磁波が人体に対する脅威及び傷害を低減するために抗電磁波の材料を含ませても良い。また、細胞の酸化を抗するのと細胞膜の電位が正常に作動するのを増加させるために抗静電気の材料を含ませても良い。
【００３５】
本発明の好ましい実施形態において、上記のようにパソコン用キャリングバッグ１の本体は耐熱、防燃の材料にて作製されている他、該パソコン用キャリングバッグ１は更に少なくとも耐熱、防燃の材料により作製される防火シートを有しており、該防火シートは可動式又は固定式で上記第１バッグ本体１２の第１の収納空間１２８に収納されて、上記パソコン用キャリングバッグ１と結合する。
【００３６】
次に、可動式と固定式にてファイヤーバリア４がパソコン用キャリングバッグ１と結合する実施方式のそれぞれについて説明を行う。
【００３７】
図５〜図７に示されるように、パソコン用キャリングバッグ１には、耐温材４１により作製される防火シート４を取り付けている。
【００３８】
該防火シート４の上には、防火シートを約３つの部分に区分するために２本のミシン糸４２を有しており、各部分の大きさは上記第１の収納空間１２８と略同一である。
【００３９】
また、上記耐温材４１は主に、耐温に耐えられるための防火層４１１と、熱気を発散させるための通気層４１２からなる。なお、防火層４１１及び通気層４１２は上記と同様に構成材料を組み合わせて混合させることで作製することができるため、ここでその詳細な説明を省略する。
【００４０】
図５と図６に示されるように、使用者が上記防火シート４を平らにすることで、防火シート４を第１バッグ本体１２の第１の収納空間１２８に収納することができる。
【００４１】
なお、使用者も必要に応じて上記防火シート４を折り畳んで上記第１の収納空間１２８の内部に収納することができる。
【００４２】
また、本発明の他の好ましい実施形態において、主に高温に耐えられる防火層５１１と熱気を発散可能な通気層５１２からなる耐温材５１により作製された防火シート５を、パソコン用キャリングバッグ１の第１バッグ本体１２の内部に固着してもよい。なお、防火層５１１及び通気層５１２は上記と同様に構成材料を組み合わせて混合させることで作製することができるため、ここでその詳細な説明を省略する。
【００４３】
この好ましい実施形態において、ミシン糸５２により、第１の収納空間１２８の左右両側にそれぞれ位置するように２枚の防火シート５を第１バッグ本体１２の内部に固着させる。また、空間の浪費を低減させるために、使用者も必要に応じて上記防火シート５を折り畳んで上記第１の収納空間１２８の内部に収納する
【００４４】
なお、本発明の実施形態における多機能をもつパソコン用キャリングバッグ１において、上記第１バッグ本体１２、第２バッグ本体１１、第１接続部材１２３及び第２接続部材１３は耐温、防燃のバッグ材３１により構成された他、ミシン糸、装飾品、織テープ、スライドファスナー、面ファスナーなどの付加品も難燃性、低伝熱性の材料により作製することができ、約１５０℃以上の高温に耐えられ、製品の使用上の安全性をより高めることができる。
【００４５】
従って、上記を綜合すると、本発明によれば、上記多機能をもつパソコン用キャリングバッグ1は、耐熱、防燃材で構成されるため、これらの材料は、伝熱性が低く、燃焼しにくく、滴下熔融（ｄｒｉｐ  ｍｅｌｔ）せず、また炭化性などの多くの特性をもつため、緊急事態が発生すると、消火用または及び火事現場から避難するための防火シートとして使用可能である。
【００４６】
また、上記のパソコン用キャリングバッグは電磁放射を遮断する材料を備えるため、電磁波の人体への脅威及び傷害を低減することができる。
【００４７】
本発明は、本発明の要旨から逸脱しない限り、各種の変形、改良が可能である。よって、以上、本発明を好ましい実施形態について説明したが、本発明は具体的に開示された実施形態に限定されるものではなく、特許請求の範囲に限定されるもの又は同じ効果をもつもの、或いは他の変化した実施形態となるように変化、修正又は調整を行ったものの全ては本発明の範囲に含まれることは言うまでもない。
【図面の簡単な説明】
【００４８】
【図１】本発明の実施形態における多機能をもつパソコン用キャリングバッグ１の正面斜視図である。
【図２】本発明の実施形態における多機能をもつパソコン用キャリングバッグ１の背面斜視図である。
【図３】本発明の実施形態における多機能をもつパソコン用キャリングバッグ１の正面図である。
【図４】本発明の一実施形態における多機能をもつパソコン用キャリングバッグ１の背面図である。
【図５】本発明の一実施形態における、防火シート４と多機能をもつパソコン用キャリングバッグ1とが結合した状態の概略図である。
【図６】本発明の一実施形態における、防火シート４と多機能をもつパソコン用キャリングバッグ1とが結合した状態の他の概略図である。
【図７】本発明の他の実施形態における、防火シート５と多機能をもつパソコン用キャリングバッグ1とが結合した状態の概略図である。
【符号の説明】
【００４９】
１…パソコン用キャリングバッグ、１１…第２バッグ本体、１１１…ハンドベルト、１１２…インナーバッグ切欠き、１１５…内部凹縁、１１６…収納袋、１１７…外部凸縁、１２…第１バッグ本体、１２１…ハンドベルト、１２２…インナーバッグ切欠き、１２３…第１接続部材、１２４…スライダー、１２５…内部凹縁、１２６…固定部材、１２７…外部凸縁、１２８…収納空間、１３…第２接続部材、１３１…スライダー、１４…調整部材、１４１…金具、３１…バッグ材、３１１…防水層、３１２…防火層、３１３…通気層、３１４…インナー層、４…防火シート、４１…耐温材、４１１…防火層、４１２…通気層、４２…ミシン糸、５…防火シート、５１…耐温材、５１１…防火層、５１２…通気層、５２…ミシン糸
【図１】
2009022727.tif 000003
【図２】
2009022727.tif 000004
【図３】
2009022727.tif 000005
【図４】
2009022727.tif 000006
【図５】
2009022727.tif 000007
【図６】
2009022727.tif 000008
【図７】
2009022727.tif 000009